(57)【要約】【課題】安価でありながら、操作のための動作を省略化させることが可能で、かつ、その際、誤操作のない家庭用電気器具を提供することを目的とする。【解決手段】略平盤状の台座１を有する家庭用電気器具である。台座１の上面部全面積のうち２０％〜５０％の面積を占める大面積スイッチ２を有する。その大面積スイッチ２は、平面視においてラグビーボール縦断面形状とされ、かつ、二分されて第一スイッチ部３と第二スイッチ部４とにより構成されている。【選択図】  図１
2004232584.tif 000002
【特許請求の範囲】
【請求項１】
略平盤状の台座（１）を有する家庭用電気器具であって、該台座（１）の上面部全面積のうち２０％〜５０％の面積を占める大面積スイッチ（２）を有することを特徴とする家庭用電気器具
【請求項２】
上記大面積スイッチ（２）は、平面視においてラグビーボール縦断面形状とされ、かつ、二分されて第一スイッチ部（３）と第二スイッチ部（４）とにより構成された請求項１記載の家庭用電気器具。
【請求項３】
上記大面積スイッチ（２）の上面は、台座本体部（５）の上面と略同一面状となるよう構成された請求項１又は２記載の家庭用電気器具。
【請求項４】
上記大面積スイッチ（２）は、上記台座（１）の外周縁側位置が支点とされて内方側が下方へ揺動し台座中央部に配設した動作用接点（６）を押圧するよう構成された請求項１，２又は３記載の家庭用電気器具。
【請求項５】
上記大面積スイッチ（２）は、上記動作用接点（６）を、立ち上がり壁部（８）を有する保護カバー（７）を介して押圧する請求項４記載の家庭用電気器具。
【発明の詳細な説明】
【０００１】
【発明の属する技術分野】
本発明は、家庭用電気器具に関する。
【０００２】
【従来の技術】
家庭用電気器具には、作動用スイッチや出力調整スイッチが設けられている。例えば扇風機において説明すると、扇風機は、床面に載置させる台座と、台座から立設状の支持脚と、支持脚上端側の羽根部と、を有しており、台座の上面の一部分に操作パネル部を構成し、操作パネル部にＯＮ／ＯＦＦボタン（作動用スイッチ）及び風量強弱切り換えボタン（出力調整スイッチ）が配設されている。つまり、従来の操作は、人の手（指）による押しボタン式である。（例えば、特許文献１参照。）。
【０００３】
【特許文献１】
特開平１１−２８０６９２号公報
【０００４】
【発明が解決しようとする課題】
従来の扇風機の操作は人の手による押しボタン式であるため、操作の度に、扇風機に近寄り、扇風機の前にかがんで、ボタンを押して操作し、立ち去る、という動作が当然であり面倒であった。
そこで考えられたのがリモコン式である。しかし、扇風機等の家庭用電気器具は、その器具の直ぐ近傍にて人が使用するものであるため、電気器具と人との距離は非常に近い。特に一般的な扇風機は床上に置いて使用するため、リモコンが棚の上等の離れた位置に置かれていると、リモコンを取りに行く前に扇風機を直接操作するほうが早くなる。つまり、手による操作が頻繁に起こり、リモコンの使用頻度は減る。従って、リモコンは無駄な機能で価格を上げるばかりで実際のところ有効ではないというのが現状である。
【０００５】
そこで本発明は、安価でありながら、操作のための動作を省略化させることが可能で、かつ、その際、誤操作のない家庭用電気器具を提供することを目的とする。
【０００６】
【課題を解決するための手段】
上述の目的を達成するために、本発明に係る家庭用電気器具は、略平盤状の台座を有する家庭用電気器具であって、該台座の上面部全面積のうち２０％〜５０％の面積を占める大面積スイッチを有するものである。
また、上記大面積スイッチは、平面視においてラグビーボール縦断面形状とされ、かつ、二分されて第一スイッチ部と第二スイッチ部とにより構成されている。
また、上記大面積スイッチの上面は、台座本体部の上面と略同一面状となるよう構成されている。
また、上記大面積スイッチは、上記台座の外周縁側位置が支点とされて内方側が下方へ揺動し台座中央部に配設した動作用接点を押圧するよう構成されている。
また、上記大面積スイッチは、上記動作用接点を、立ち上がり壁部を有する保護カバーを介して押圧する。
【０００７】
【発明の実施の形態】
以下、図示の実施の形態に基づき、本発明を詳説する。
【０００８】
図１は本発明の家庭用電気器具の実施の一形態を示す斜視図であり、図２はその電気器具の台座部の平面図、図３は台座部の側面図である。
本発明に係る家庭用電気器具は、略平盤状の台座１を有し、立設状態で使用するものがあり、例えば、図示するような床上式の扇風機である。その他、扇風機以外では、図示省略するが、パラボラアンテナ型の反射板を有するヒータ（ハロゲンヒータ）等があり、台座１を備える様々なスタンド式の電気器具において適用可能である。
以下、扇風機において本発明を説明する。
【０００９】
図示するような扇風機は、床面に載置させる台座１と、台座１から鉛直状に立設する支持脚１０と、支持脚１０上端側の羽根部１１と、を備えており、羽根部１１は複数枚の羽根１２と羽根１２を回転させるモータ（図示省略）等を有している。
そして、本発明に係る電気器具は、台座１の支持脚１０部分を除く上面部全面積のうち２０％〜５０％の面積を占める脚踏み操作可能な大面積スイッチ２を有している。そして、大面積スイッチ２は、平面視においてラグビーボール縦断面形状（凸レンズの横断面形状）とされ、かつ、大面積スイッチ２は二分されて第一スイッチ部３と第二スイッチ部４とにより構成されている。
【００１０】
つまり、台座１は、円盤状のベース板上に配設された台座本体部５と大面積スイッチ２とを備え、台座本体部５と大面積スイッチ２とを合わせた全体の上面部面積のうち２０％〜５０％が大面積スイッチ２で占め、その残りが台座本体部５となる。
また、大面積スイッチ２は台座１の手前前方側───扇風機では風を受ける側が前方───で、台座１の後方側が台座本体部５としており、いかなる人（高年齢者）でも簡単に足先（つまさき）にてスイッチ操作が行えるようにしている。
【００１１】
そして、図２に示すように、第一スイッチ部３と第二スイッチ部４とは同面積とされ、真正面にて二分され左右対象となるよう配置されている。
さらに、大面積スイッチ２の上面（表面）は、台座本体部５の上面（表面）と略同一面状となるよう構成されており、その形状は背の低い（薄い）一つのドーム型を形成する。
大面積スイッチ２の面積比率が２０％未満であると、足先にて操作する際、スイッチ部分が小さく成りすぎて従来と同様に操作しにくく、誤操作が生じやすい。また、５０％を越えると、大面積スイッチ２は薄板状の樹脂製とするため、力強く足にて操作すると強度的に問題がある。また、後に説明する制御回路側の動作用接点（電気スイッチ）６への押圧動作が不安定ともなる。
【００１２】
次に、大面積スイッチ２の構成・動作について説明すると、図４は台座１の弾発姿勢保持部を示す側面断面図であり、図５は台座１の動作用接点部を示す側面断面図であり、図６は台座１の支点姿勢保持部を示す側面断面図である。また、図７は押し上げ弾発部材９の他の実施の形態を示す台座１の要部側面断面図であり、図８は、台座１の分解斜視図である。
【００１３】
大面積スイッチ２の第一スイッチ部３と第二スイッチ部４とは、同じ大きさで同じ構成とされているが、機能が異なり、例えば、第一スイッチ部３がＯＮ／ＯＦＦ用（作動用スイッチ）とされ、第二スイッチ部４が風量強弱切り換え用（出力調整スイッチ）とされている。
つまり、第一スイッチ部３を一度押すと扇風機は作動し、再度押すと扇風機は停止する。また、扇風機が作動中に第二スイッチ部４を押すたびごとに風量が「弱」から「強」へと段階的に変化し、「強」の状態から再度第二スイッチ部４が押されると、「弱」へ戻るよう内部回路において構成させている。または、第一・第二スイッチ部３，４による動作は、これ以外の制御としてももちろんよい。
【００１４】
また、大面積スイッチ２は、台座１全体の外周縁側位置が支点とされて内方側が下方へ揺動し台座中央部に配設した動作用接点６（動作用接点部）を押圧するよう構成されている。具体的に説明すると、大面積スイッチ２（第一・第二スイッチ部３，４）は、台座本体部５の一部が凹形状とされた凹部１６を被覆するよう配設され、大面積スイッチ２と凹部１６との間に空間部１４を形成する。
【００１５】
つまり、（第二スイッチ部４は第一スイッチ部３と同様の構造であるため説明は第一スイッチ部３について説明すると）第一スイッチ部３は、図４〜図８に示すように、上面作動板となるシェル部材（外殻部材）１３を備え、シェル部材１３は、図４及び図７に示すように、空間部１４の底壁（凹部１６の底面）との間に設けた押し上げ弾発部材９の弾発力により上方側へ押し上げられる（上方へ弾発付勢される）と共に、シェル部材１３の裏面に設けた掛止爪部１５が空間部１４の底壁に設けた掛止孔部１７に引っ掛かりシェル部材１３の上方への過剰な移動を規制し、所定位置に保たれる。さらに、図５に示すように、シェル部材１３の内方側端部───接点押下片１９───が、台座本体部５の横孔形状凹部１８に挿入状となって、シェル部材１３の上面を台座本体部５の上面と略同一面状となるよう、シェル部材１３を揺動可能としながら位置規制している。
【００１６】
そして、この弾発部材９はシェル部材１３の中央位置より台座１全体の中央部寄りの位置に配設され、また、弾発部材９は、図４の捩じりコイルバネや図７の板バネ等の形式とすればよい。この弾発部材９は、シェル部材１３の下方揺動動作後の上方への復帰を自動的にさせるものである。
押し上げ弾発部材９と掛止爪部１５と掛止孔部１７とにより弾発姿勢保持部を構成している。
【００１７】
また、図６に示すように、シェル部材１３と、シェル部材１３により被覆状とされる台座本体部５の一部との間は、小凸部２０（支点姿勢保持部）を介在させて接触状としている。なお図６では、シェル部材１３の裏面側に小凸部２０が形成されている。この小凸部２０は、シェル部材１３の両側方に離れて夫々１つずつ形成され、かつ、台座１全体の外周縁側位置に配置させており、シェル部材１３の揺動支点とされる。つまり、シェル部材１３は、台座１全体の外周縁側を支点として台座１全体の内方側（中央側）が下方へ下がるよう揺動し、台座中央部に配設した動作用接点６を押圧する。
【００１８】
さらに、図５に示すように、大面積スイッチ２は、動作用接点６を、立ち上がり壁部８を有する保護カバー７を介して押圧するよう構成されている。つまり、電気器具の動作を制御する電気回路板２１及びその動作の契機となる動作用接点６（電気的スイッチ）は、台座１の略中央部に配設されており、動作用接点６とシェル部材１３の内方側端部に形成した接点押下片１９とは、接近させた配置としている。そして、電気回路板２１及び動作用接点６を有する中央空間部内に大面積スイッチ２側からのゴミや埃の進入を防止するための保護カバー７が、その中央空間部を被覆している。
【００１９】
従って、シェル部材１３の接点押下片１９は、その保護カバー７を押し下げて、保護カバー７の下面にて動作用接点６が押し下げられ、動作用接点６により動作のための信号が回路板２１へ発信される。なお、接点押下片１９の下面には、接点押し下げ用の小突起２２が形成されており、動作を確実なものとさせている。
保護カバー７は、動作用接点６を押し下げる小突起２２を有する水平部と、水平部の内方部から鉛直上向きに突出する立ち上がり壁部８と、水平部を台座１（台座本体部５）に保持固定させる水平部の外方側の固定片部と、を有する折れ曲がり部材である。
【００２０】
また、シェル部材１３は、台座本体部１の上面とは異なる色彩とすれば、操作の際に間違えることがなく、また、大面積スイッチ２に夜光塗料を施すことで、消灯後も容易に操作が可能となる。
また、図１と図２に示すように、台座本体部５の上面の一部に現在の扇風機の動作状況（ＯＮ／ＯＦＦや風量）を示す表示部２３を設けてもよい。
【００２１】
【発明の効果】
本発明は上述の構成により次のような効果を奏する。
【００２２】
（請求項１によれば）家庭用電気器具を使用する人は、足先により大面積スイッチ２を踏むことによりワンタッチで操作が行える。そして、スイッチ２の面積が大きいため、その操作は簡単で誤操作することがない。高価なリモコンを使用することなく、また、物や子供を抱きかかえた状態でも、ＯＮ／ＯＦＦや出力の調整が足先にて可能となり、操作のための人の動作を省略化させることが可能である。
【００２３】
（請求項２によれば）細かく複雑なスイッチ形状でないため、足先による操作を確実なものとさせ、また、どの位置を踏んでも操作させることができる。
（請求項３によれば）見た目スマートでありながら、不要につま先を大きく上げる必要がなく、極めて機能的なものとすることが可能である。
【００２４】
（請求項４によれば）ボタン全体が押し込まれてスライド移動する形式でないため、スイッチ動作が安定する。つまり、大面積スイッチ２のうちの一部のみが踏まれても確実に揺動させることが可能である。つまり、大面積のスライド押し込み式ボタンであると、スライドさせる際にボタンが隣接する部材と接触（摺接）し平行状態でスムーズに移動しないおそれがある。しかし、本発明の揺動による構成によればその心配はない。
揺動動作後の復帰のための押し上げ弾発部材９を設ける際、大面積スイッチ２であっても、弾発部材９の数量が少なくて済む（一個でよい）。
（請求項５によれば）大面積スイッチ２が揺動動作するための隙間が、動作用接点６との間にあっても、動作用接点６及びそれに接続される電気回路部側へのゴミや埃の進入が防止できる。
【図面の簡単な説明】
【図１】本発明の家庭用電気器具の実施の一形態を示す斜視図である。
【図２】家庭用電気器具の台座部の平面図である。
【図３】家庭用電気器具の台座部の側面図である。
【図４】台座の弾発姿勢保持部を示す側面断面図である。
【図５】台座の動作用接点部を示す側面断面図である。
【図６】台座の支点姿勢保持部を示す側面断面図である。
【図７】押し上げ弾発部材の他の実施の形態を示す台座の要部側面断面図である。
【図８】台座の分解斜視図である。
【符号の説明】
１  台座
２  大面積スイッチ
３  第一スイッチ部
４  第二スイッチ部
５  台座本体部
６  動作用接点
７  保護カバー
８  立ち上がり壁部
【図１】
2004232584.tif 000003
【図２】
2004232584.tif 000004
【図３】
2004232584.tif 000005
【図４】
2004232584.tif 000006
【図５】
2004232584.tif 000007
【図６】
2004232584.tif 000008
【図７】
2004232584.tif 000009
【図８】
2004232584.tif 000010